(57)【特許請求の範囲】
【請求項１】
研磨パッド上にスラリを滴下供給しながらウェーハと前記研磨パッドを相対的に摺接して研磨を行う研磨装置において、
前記ウェーハの裏面を基準面として、ウェーハ全面を減圧して平面矯正して取り付けるウェーハ保持台と、
前記ウェーハに対して相対的に運動するプラテン上に敷設固定されて所望の圧力分布を
形成された圧縮変形板と、
該圧縮変形板上に前記研磨パッドを張り上げて固定する張上機構とを有し、
前記研磨パッドは、前記圧縮変形板上に敷設されて撓み変形によって変位可能な撓み変形シートと、該撓み変形シート上に敷設されて滴下されたスラリを保持する表層パッドとを備え、
前記表層パッドは、前記撓み変形シート上に貼り付けられて一体化されていることを特徴とする
圧力分布調整機能を有する研磨装置。
【請求項２】
前記圧縮変形板における表面の弾性体は、空隙のない圧縮永久歪の小さい弾性材料にて形成されるとともに、前記研磨パッドに対向する対向表面を区分化され、
該区分化された弾性体の対向表面は、夫々独立して変形することを特徴とする請求項１記載の圧力分布調整機能を有する研磨装置。
【請求項３】
前記圧縮変形板は、圧縮変形するための前記弾性体と、該弾性体を全面で一様固定する硬質板とを備えていることを特徴とする請求項２記載の圧力分布調整機能を有する研磨装置。
【請求項４】
前記圧縮変形板は、前記プラテン上から一体で交換可能に形成されていることを特徴とする請求項３記載の圧力分布調整機能を有する研磨装置。
【請求項５】
前記圧縮変形板は、その表面を予め圧力分布を考慮した形状に形成されていることを特徴とする請求項４記載の圧力分布調整機能を有する研磨装置。
【請求項６】
前記研磨パッドは、前記ウェーハ表面の凹凸を平坦化する領域にぽいて、前研磨パッドの撓み変形量が圧縮変形量より小さく、前記ウェーハ表面のうねりに追従する領域において、前記研磨パッドの撓み変形量が圧縮変形量より大きくなるように撓み剛性を設定されていることを特徴とする請求項１記載の圧力分布調整機能を有する研磨装置。
【発明の詳細な説明】
【技術分野】
【０００１】
本発明は圧力分布調整機能を有する研磨装置に関するものであり、特に、化学的機械研磨（ＣＭＰ：Chemical Mechanical Polishing）において、研磨中の発熱によってプラテンが熱変形した場合でも、熱変形の影響による圧力分布変化を最小限に抑えた研磨装置に関するものである。
【背景技術】
【０００２】
近年、半導体の微細加工が進んでおり、多層に亘ってパターンを形成することが行われている。パターンを形成した層の表面には、ある程度の凹凸が生じるのが避けられない。従来は、そのまま次の層のパターンを形成していたが、層数が増加するとともに線やホールの幅が小さくなるほど良好なパターンを形成するのが困難となり、欠陥などが生じ易くなっていた。
【０００３】
このため、パターンを形成した層の表面を研磨して平坦にした後に、次の層のパターンを形成することが行われている。このように、半導体などのウェーハ表面を研磨するには、ＣＭＰ工程による研磨装置が使用されている。此種ＣＭＰ研磨装置は、プラテン上に研磨パッドを取り付け、スラリを供給しながらウェーハと研磨パッドを相対的に摺接して研磨を行う構成が一般的である。
【０００４】
一般的に、半導体ウェーハの平坦化や配線を形成する工程において使用される研磨パッドとして、ポリウレタンを含浸させた不織布の上に発泡ポリウレタンを積み重ねたものが一般的である。
【０００５】
半導体ウェーハの表面を平坦に研磨するために、研磨パッドのウェーハを研磨する側の表面硬度は高い必要がある。しかし、その反面パッドの硬度が高いとウェーハ全体のうねりに追従できなくなるため、特にウェーハに反りを有している場合においては、ウェーハ全面で均一に研磨できなくなる。
【０００６】
また、この２層パッドを構成する上で、従来は、複数の溝を形成されたパッドで、研磨処理する場合、非常に多量のスラリを必要とする。研磨剤を溝から供給するには、溝が研磨剤を満たす必要があるからである。しかし、パッドに孔のみで形成されている場合と比較してスラリの排出が大きく、必要なスラリ量は増大する。一方、パッドに孔のみで形成している場合、ウェーハをパッドから取り除く際に、パッドに設けられた孔によって、ウェーハが吸盤状に変形し、パッドとウェーハとの間に負圧が生じ、ウェーハがパッドに貼りつく事態が起こり、装置稼動の妨げとなる問題があった。
【０００７】
このような問題を解消するために、硬質層と軟質層の２つの層を備え、硬質層には貫通する複数の孔が設けられるとともに、研磨面となる表面に複数の溝が設けられた研磨パッドが知られている。すなわち、研磨パッドに溝および多数の孔を形成することで独立して変位させ、エッジに対する研磨パッドの接触圧が上昇するのを一部回避している（例えば、特許文献１参照）。
【０００８】
また、研磨面を有するテーブル（プラテン）上面に載置された複数の突起部を有する弾性体シートと、該弾性体シートに載置され上面に研磨面をもつ研磨パッドとを具備する研磨パッドが知られている。すなわち、多数の突起部によって研磨パッドまたはテーブルとの間に空間ができ、局部的な加圧を周囲に分散させることで、追従性のよい研磨パッドの変形が行われる（例えば、特許文献２参照）。
【０００９】
さらに、パッド形状の構成として特許文献３の公報では、パッドと研磨定盤の間に弾性体を介在させた構成としている。本公知例においては、従来の軟質の研磨布であれば、特許文献３の図９に示すように、弾性変形によってウェーハ表面の凹部にも接触し変形する。そのため、効率的に平坦化できないという問題があった。
【００１０】
また、極めて硬質な研磨布を使用する場合、マクロ的に見た場合のウェーハの凸部分と接触し、マクロ的にみた凸部のみが研磨され、ウェーハ全面で均一に研磨されないという問題があった。そのため、マクロ的には試料表面の形状に沿って均一な研磨を行い、ミクロ的には平坦性を向上させる研磨装置として、試料接触面は硬質な部材を着設して構成し、その下に軟質部材を備えた構成としている（例えば、特許文献３参照）。
【００１１】
さらに、もう一つの公知例では、上記構成の場合、研磨条件によっては、ウェーハ外周部の方がウェーハ中心部に比べて研磨が速く進む傾向があった。こうした課題を解決し、ウェーハ全面を絶えず均一に研磨できる研磨装置を提供することを目的に、研磨定盤と弾性体の間にリング状の凸状体を備えることを特徴としている。その凸状体はウェーハ中央部の軌跡に対応する部分の厚みが最も厚く、周辺部の厚みを最も薄くしてあることを特徴としている（例えば、特許文献４参照）。
【００１２】
さらに別の公知例では、平坦化するウェーハ表面において、ウェーハ表面に形成されたミクロな凹凸を平坦化しつつ、うねりを有するウェーハ表面においては、全面にわたってマクロに均一に研磨することが求められていた。このような課題において従来の軟質パッドでは、ウェーハ表面に追従して研磨が進行するが、ミクロな凹凸の平坦化は行うことができず、また硬質パッドにおいては、ミクロな凹凸の平坦化は行うことができるが、マクロに見た場合に、均一に研磨することは不可能であった。
【００１３】
このような問題に対して、硬質パッドと研磨定盤の間に弾性体を介在させることによって、ミクロには硬質パッドが作用して、平坦化を行う一方、マクロには、弾性体の効果によって、ウェーハ表面でのマクロなうねりに対しても表面に追従して研磨が進行するように構成したものである（例えば、特許文献５参照）。
【００１４】
また、ウェーハ面内において、しばしば異なる研磨レートで研磨される場合があり、こうした異なる研磨レートで研磨される場合において、所望の平坦度と仕上げを提供するニーズがあるとしている。こうしたニーズに対して、実質的に均一な基板の研磨が可能な研磨ヘッドを有する必要があるとしている。この課題に対して、ウェーハをパッドに押圧するキャリアヘッド内に独立したチャンバを設け、そのチャンバ内の圧力を独立して制御することによって、ウェーハに与える圧力を領域ごとに独立制御して、上記課題の解決を試みている（例えば、特許文献６参照）。
【００１５】
また、ウェーハを押圧するトップリングを複数の領域に分けて、その領域ごとの圧力について、他の要素の不均一性を補正するように最適化することで、結果として、全体に均一な研磨形状を得ようとする構成も知られている（例えば、特許文献７参照）。
【００１６】
また、２層パッドを形成する上で、表層パッドがスラリ等で膨潤してしわよりを発生するため、しわよりを防止することを目的に支持層を設け、この支持層として、シートを貼り付けた構成が開示されている（例えば、特許文献８参照）。
【先行技術文献】
【特許文献】
【００１７】
【特許文献１】特許第３０４２５９３号公報
【特許文献２】特開２００４−１６０５７３号公報
【特許文献３】特許第３０２４４１７号公報（特に図９参照）
【特許文献４】特許第３６８１２２６号公報
【特許文献５】特許３０２４４１７号公報
【特許文献６】特表２００１−５０９４４０
【特許文献７】特許第３７９５１２８号公報
【特許文献８】特開平１０−１５６７０５号公報
【発明の概要】
【発明が解決しようとする課題】
【００１８】
特許文献１記載の発明は、研磨パッドを独立して変位させることにより、研磨パッドの接触圧の上昇を抑えているが、原理的にウェーハ自体が沈み込んで撓む現象は依然として残る。そのため、ウェーハの中立面が変形し、ウェーハエッジの接触圧が高まるほか、エッジより内側の部分の圧力が変化する。付与する研磨荷重によってウェーハの中立面が撓む構成の場合、ウェーハ荷重によってもエッジにかかる接触圧が変化して、ウェーハ面内で均一な圧力を与えることはできない。特に、大口径のウェーハではウェーハの反りが問題となり、反りをもつウェーハが撓む状態で研磨されると、エッジにかかる接触圧は特に変化が相乗されて、ウェーハ面内で均一な圧力が与えられない。
【００１９】
また、研磨パッドの表面に設けられた多数の孔は、研磨時に研磨パッド上に供給される研磨剤を保持するためのものであるが、この孔に研磨屑が入り込んだ場合はリンスなどで除去することは非常に困難である。例えば、１つの孔から研磨屑が出たとしても、すぐに他の孔に研磨屑が入り込むため、研磨パッド上の研磨屑をきれいに洗い流すことができない。したがって、研磨パッドの表面にあまり多数の孔を設けると、研磨パッド上の研磨屑が残存することになり、研磨屑が研磨パッド上に長く残された場合は、それが塊となってスクラッチを発生させる原因となる。
【００２０】
特許文献２記載の発明も、弾性体シートに設けられた多数の突起部で局部的な加圧を分散させるようにしているが、表層の研磨パッドの撓み剛性が弱い場合、弾性体シートの影響により研磨パッドが沈み込み、平坦化特性が悪化する。したがって、ウェーハ自体が沈み込んで中立面が撓むと、特許文献１と同様に、エッジにかかる接触圧が変化して、ウェーハ面内で均一な圧力が与えられない。
【００２１】
このほかにも、従来は下記のような問題点があった。まず、プラテンシートを両面テープで貼り付ける構成にすると、プラテンシートを取り換える際、シートの取付誤差によって、研磨パッドがウェーハに与える圧力分布が変化することがある。プラテンシートが弾性体である場合、プラテンに取り付ける際に作業者の熟練度によって取付状態に差が生じ、安定した圧力分布を形成できないおそれがある。
【００２２】
また、研磨パッドが完全にフラットであり、かつウェーハも完全にフラットである場合は、圧力が均等にかからない。これは平面対平面が接触する場合、原理的には圧力が均等にかからずエッジに集中する性質があり、平面内で圧力を均一にするには多少のラウンド形状にする必要がある。
【００２３】
プラテンに貼り付けるシートが、密度の高い弾性体であった場合、一部のエリアで弾性体が凹むと、体積が一定であるためにポアソン比の影響で別のエリアでは弾性体が凸になる。この結果、ウェーハ面内で圧力分布がばらつくことになり、ウェーハ面内で均一な圧力が与えられない。
【００２４】
２層に形成された研磨パッドの表層の撓み剛性が乾燥状態で強いとしても、スラリが浸透することによって撓み剛性が低下し、その結果、平坦化特性が悪化することもあった。また、研磨パッドをドレッシングすると、表層の厚みが変化して撓み剛性に関する指数（ヤング率×断面二次モーメント）が初期の状態から変化する。断面が長方形の場合、断面二次モーメントは高さ（厚み）の３乗に比例するため、ドレッシングによる厚みの変化は極めて大きい。
【００２５】
特許文献３記載の発明では、表面に硬質なパッドを使用し、そのパッドと研磨定盤の間に弾性体を介在させ、ウェーハ表面に形成された凹凸については、平坦化を行い、ウェーハ全面のうねりに対しては、表面の硬質パッドが弾性体の上で上下することによって、表面に追従して均一に研磨する方法を示している。
【００２６】
しかし、例えば、初期の膜厚がマクロに見た場合に、同心円状に凸状ないしは、凹状に形成されており、それを補正して研磨後のマクロに見た膜厚分布が均一になるように、ウェーハ中心と外周との研磨量を故意に変化させて、修正するような研磨方法は開示していない。
【００２７】
また、そうしたウェーハ全面での研磨形状を修正する目的での研磨装置構成とはなっていない。さらに、研磨工程の前工程におけるウェーハ膜付け工程において、初期の膜厚分布が均一ではなく、さらにその膜厚分布が幾通りかパターンがある場合に、その膜厚分布のパターンに応じて、適正に研磨形状を制御することはできない。
【００２８】
また、表面に硬質パッドを使用した場合、硬質パッド表面はスラリを保持して研磨に寄与する必要がある。しかし、硬質パッドがスラリを保持するとは、それはすなわち、スラリによってパッド表面が膨潤することを示す。この硬質パッドの膨潤により、表層パッドの撓み剛性は大きく低下する。結果として、表層パッドの撓み特性が変化して、安定した平坦化特性を達成できない問題がある。さらに、パッドをドレッシングして使用する場合では、パッドの厚みが減少して撓み変形に対する剛性が変化し、一定の平坦化特性を達成できない問題がある。
【００２９】
さらに、特許文献３においては、硬質な部分を、下の軟質部材で支えた形を取っている。また、別の実施例では、硬質なパッドに溝を入れて、それぞれの硬質部材がキャタピラー状に変形可能なようにしている。このような形態であれば、例えば、区分化された硬質な部分が軟質部材で支えられている場合、研磨のせん断応力によって下の軟質部材が横方向に変形し、パッド表面の硬質部材部分が、研磨をしていない場合に横倒れした形態になる。
【００３０】
その結果、安定した圧力分布を与えることは難しくなる。また、下の軟質部材に研磨の押圧力とせん断応力が同時に働くため、硬質部分を上に配した軟質部材を使用する場合、硬質部分と軟質部分の間にねじりの応力がはたらき、その界面部分か、軟質部材の部分から破断する場合が懸念される。
【００３１】
また、別の実施例では、硬質部分のパッド部分に溝を入れて溝の部分が支点となって、パッドが曲がるようになっている。しかし、このような構成においても、研磨による圧縮とせん断応力が働く状態においては、先に述べたパッドに対するねじりの応力は、分厚い硬質部分に作用せず、溝で薄くなっている部分に対して、集中的にねじりの応力が作用することになる。
【００３２】
その結果、この薄くなった溝の部分は、繰り返し引っ張りと撓みの応力を受けるフレッチング現象を起こして、その下の弾性体の部分からずれて、少し浮くことなどが考えられる。その下の弾性体材料から表面の硬質パッドが浮いてくることによって、さらにねじりの応力を受けやすくなる。
【００３３】
ねじりの応力をうけたパッドは、自身が変形してしまうために、長期に渉って安定した圧力分布をウェーハに与えることができなくなる。
【００３４】
このように、パッドの撓み強度やパッドの構成が、パッド面内で連続的ではなく、区分化している構成においては、その物理的に最も弱い部分に研磨の応力が集中し、場合によっては、その位置から破断する場合がある。
【００３５】
さらに、表面のパッド部分に撓み剛性が強い部分と、撓み剛性が弱い部分が混在する場合、一定の撓み強度を受けると、それは撓み剛性が弱い部分に応力集中とともに、変形も起きる。その結果、撓み剛性が強い部分の平面が、必ずしも水平な平面を取ることなく、せん断応力によって、応力を受けた方向に傾き、その傾いたままの状態で研磨に寄与することになる。結果的にたわみ剛性の強い平面部分が、自身の水平姿勢を保てなくなるため、結果として、ウェーハへの圧力分布が大幅に悪化することになると予測される。
【００３６】
また、軟質部材上に硬質部材を配置した構成の場合、たとえばパッド交換する際に、軟質部材と硬質部材をセットで交換するようになる。たとえば、本発明のように、あらかじめ圧力分布を初期の膜厚分布に応じて、研磨後の膜厚分布を均一にするように、均一に研磨をするのではなく、恣意的に研磨形状を制御する必要がある場合においては、パッド交換ごとに圧力分布を設定するように調整する必要性が生じる。
【００３７】
それぞれの消耗材料のパッドに対して、微妙に圧力分布を調整した弾性体を多数準備しておくことは技術上非常に問題があり、さらにその微妙に圧力分布を調整した弾性材料を装置に取り付ける上においても、高度な技術が必要となる。例えば、単純にねじ止めすれば、ねじ部とねじのない部分とで圧力分布に影響がでることや、単純に接着剤で全面接着するとしても、貼り付け時の弾性体の延びや縮みの状態によって、あらかじめ、設定した圧力分布を必ずしも反映できない問題がある。
【００３８】
このように、均一にウェーハを研磨するのではなく、ウェーハの膜厚分布状態に応じて、その形状を補正するように恣意的に研磨形状を不均一にする場合など、こうした装置構成、およびパッド構成では、その目的を達成できないことは自明である。
【００３９】
特許文献４記載の発明では、研磨条件によってウェーハ外周部がウェーハ中心部よりも、研磨が速く進む傾向があった場合に、弾性体と研磨定盤の間に凸状体を挟み込み、ウェーハの中心部の圧力を高めて、研磨条件による研磨不均一性を補正する方法を開示している。しかし、この場合も初期の膜厚分布形状に対応して、その形状を補正する内容を開示するものではない。研磨条件によってウェーハ外周部が速く研磨されることを補正するためのものであり、研磨形状を制御するものではない。
【００４０】
ただし、この方法の延長線として、たとえば、研磨レシピが均一に研磨される条件であった場合に、その凸状体を利用することで研磨形状において中心付近を他より多く研磨する能力も有することは予測されることであり、これを研磨形状制御とみなすことは可能である。
【００４１】
しかし、特許文献４においても、様々な初期の膜厚形状によって、その都度、研磨形状を修正するという課題に対して、十分満足できるものではない。それは、研磨パッドと研磨定盤の間に凸状体と弾性体をはさんで保持する場合において、研磨定盤上に凸状体およびその上の弾性体を固定しない場合では、凸状体および弾性体がその上にある研磨パッドの中で移動してしまうため、安定して圧力分布を確保することは難しい。
【００４２】
また、固定しない場合では、特に弾性体においては取り付け誤差の問題もあるため、安定した圧力分布を形成することは非常に困難である。
【００４３】
研磨定盤上に凸状体を固定し、その上に弾性体を固定する場合、すべてが研磨定盤と一体になるため、例えば、初期の膜厚形状によって研磨形状を修正するといった場合に研磨定盤ごと取り替える形になる。これは非常に大きな手間となる。
【００４４】
さらに、弾性体の下に凸状体を差し挟んだとしても、例えば密な弾性体自身では、弾性体のある部分が局所的に変形すると、弾性体は体積を一定に保とうとするため、それ以外の部分で跳ね返りが起こる。よって、全面を均一に押圧することは原理的に難しい。
【００４５】
また、そうしたことを防ぐために、体積が多少圧縮変化しても、跳ね返りを生じない気泡(空隙)を有するようなスポンジ材料を使用した場合、ある部分が局所的に変形しても、他の部分がそれによって影響を受けることはない。
【００４６】
しかし、こうした気泡を有するスポンジ材料では、繰り返し圧力がかかる研磨過程において、その空隙部分の体積が次第に変形し、結果として弾性体の使用初期の状態における圧力分布と、繰り返しその弾性体を使用した状態における圧力分布は当然変化してくる。その結果、そのスポンジ材料使用初期と使用終期の間で一定の圧力分布を得ることはできず、量産に適用可能な安定した圧力分布を形成する弾性材料としては適用困難な問題がある。
【００４７】
さらに、弾性体の上に研磨パッドを載せて研磨加工を行うが、例えば弾性体表面に加工処理を施していない場合、表面の研磨パッドとその下にある弾性体との界面で、研磨時に生じるせん断応力によってずれを生じることが予測される。このずれが大きくなるとパッドだけが、膨潤によって、しわが寄るようになることが起こり、これを繰り返し使用した場合、パッドがそのしわによって破断してしまう可能性が予測される。
【００４８】
本方法においては、研磨パッドと研磨定盤の間に、凸状体と弾性体を介在させて、研磨を行うにあたって、表層の研磨パッドは、研磨スラリを含んで研磨に寄与する。たとえば、発泡ポリウレタンなどの研磨パッドを使用する場合、研磨しない乾燥状態では非常に硬質であり、変形にしにくい。しかし、一旦スラリを含んで膨潤すると、非常に変形しやすくなる。そのため、スラリを含む状態によって、パッド表面の撓み変形は変化する。
【００４９】
また、研磨パッドは通常パッドドレッシングを行って、パッド表面を再生して研磨を行う。パッドドレッシングはパッド表面を削りながらパッドドレッシングを行う。そのため、パッドの厚みは、パッドの使用とともに減少していく。
【００５０】
例えば、初期のパッド厚みは1.27mm程度であるが、それを使用していくと0.4mm程度減ることで、0.87mmとなり、厚みが２／３程度にまで減少する。パッドの厚みが減少すると、パッドのたわみ変形に対する剛性に大きく影響する。たとえば、厚みが２／３に変化した場合、単純に部材を撓ませる上での断面二次モーメントは、厚みの３乗に比例するため、８／２７となり、約３割程度にまで低下する。
【００５１】
その結果、ウェーハ表面の凹凸を平坦化する能力が著しく変化することから、長期にわたって安定した平坦化特性を得ることは困難である。ここで、パッドの撓み変形がウェーハ表面の凹凸の平坦化に大きく影響することは自明である。例えば、表層パッドが非常に硬質で極端に薄いパッドや厚いパッドを想定すれば、その重要性が容易に理解できる。
【００５２】
仮に、ステンレスのパッドで0.01mmのパッドを想定した場合、これを圧縮変形させるには、0.01mmから厚みはほとんど変形しない。しかし、非常に薄いため、いくらステンレスでできた硬質部材のパッドといえども、容易に撓ませることはできる。結果的に、ステンレスのパッドであっても下地の弾性体の硬度が支配的になり、軟質部材で加工したものと同様に、ウェーハ表面の凹凸を平坦化できるものではないことが容易に予測できる。
【００５３】
その反対に、ステンレス製のパッドで非常に厚い1cmのパッドを表層パッドとして想定した場合、いくら下地に弾性体があったとしても、表層パッドがほとんど撓むことがないため、ウェーハ表面のうねりに追従せず、まさに硬質パッド(ラップ盤)で研磨したものと同様に、ウェーハのマクロに見たうねりに追従することなく、そのまま平坦に加工してしまうことは容易に理解できる。よって、研磨時に表層パッドの撓み変形特性は、その下地にある弾性体の特徴を生かすためにも重要な要素であり、厳密に管理する必要がある。
【００５４】
こうした撓み変形特性の制御において、本特許文献４においては、その表層パッドに発泡ポリウレタンを使用している。このような発泡体の研磨パッドでは、研磨することで付随に変化する以下の二つ要素によって、その撓み変形を最適化して一定に保つことが困難であった。
・  スラリによって発泡体のパッドが膨潤し、軟化する点、
・  パッドドレッシングによってパッド厚みが減少してくる点。
【００５５】
さらに、本方法においては、製作上の安定性に欠くことが予測される。すなわち、凸状体を精度良く加工し、弾性体を精度良く加工したとしても、その双方を重ね合わせる際に問題を生じる。とくに凸状体と弾性体を単純に重ね置きするだけでは、その都度位置ずれなどが起こることより、安定した圧力分布形成は困難になる。部分的に固定するとして、例えば、ねじで弾性体を凸状体へ固定する場合、ねじ付近の弾性体の硬度は上昇し、結果的に圧力分布のばらつきが生じ、ねじのない部分では研磨のせん断力によって、凸状体と弾性体の間でずれが起こる。
【００５６】
その結果、ねじ部に集中的な応力が作用してねじ部付近での弾性体が部分的に破断するなどの問題を引き起こす。また、弾性体を研磨定盤相当の大きさの凸状板に全面接着等で貼り付ける場合においても問題は起こる。例えば、弾性体および凸状体を精度良く製作し、さらに凸状体を精度良く製作しても、双方を接着する際に接着むらが生じる。特に弾性体を貼り付ける場合、部分的に引き伸ばされた状態の部分と縮んだ状態の部分とが同一平面内に混ざって存在するようになるため、面内一様にその凸状体の厚みに応じた圧力分布にすることは困難である。
【００５７】
特許文献６においては、ウェーハをパッドに押圧するキャリアヘッド内に独立したチャンバを設け、そのチャンバ内の圧力を独立して制御することによって、ウェーハに与える圧力を領域ごとに独立制御して、上記課題の解決を試みている。
【００５８】
しかし、こうした構成の場合、ウェーハの裏面から圧力を与えて、ウェーハをパッドに押し付けているため、ウェーハの撓み剛性によって、ウェーハとパッド間の圧力分布状態が変化するため、必ずしも安定した圧力分布制御にならない問題がある。
【００５９】
例えば、所望の研磨形状を形成するために、ある厚みのウェーハを使用して、ウェーハ裏面側に存在するチャンバに圧力を与えて、その上の可撓性膜を変形し、ウェーハとパッド間の圧力分布を制御したとする。次に、別の少し厚手のウェーハを適用し、同様にチャンバに同じ圧力を与えたとする。この場合、ウェーハとパッド間の圧力分布は全く異なる。なぜならば、ウェーハの厚みによってウェーハの撓み剛性が異なるため、ウェーハを介して圧力を伝達する際、その圧力伝達はウェーハのたわみ変形に大きく依存するからである。
【００６０】
極端な事例では、ウェーハが仮に10mm程度の厚いウェーハであったことを想定すると、ウェーハ剛性は非常に大きくなり、たとえ、３つのチャンバの圧力を変えたところで、ウェーハとパッドの間の圧力分布は、ほとんど変化せず、一定になることが容易に予測できる。
【００６１】
このように、ウェーハへの理想的な圧力分布制御を想定した場合、所望の研磨形状を得るために、研磨形状に対応した理想的な圧力分布状態を設計したとしても、ウェーハを介して圧力が伝達される際、そのウェーハの撓み変形、ウェーハの反りの状態によって、所望の圧力分布は原理的に崩されてしまうため、原理的に理想的な研磨形状制御はできないことは自明である。
【００６２】
特許文献７においても、同様に、研磨に関連する様々な要素が一様に作用すれば原理的に均一な研磨形状になるが、その要素によっては、一様に作用しない要素が存在し、原理的に不均一になってしまう問題が存在する場合を取り上げている。
【００６３】
こうした問題に対して、ウェーハを押圧するトップリングを複数の領域に分けて、その領域ごとの圧力について、他の要素の不均一性を補正するように最適化することで、結果として、全体に均一な研磨形状を得るとしている。
【００６４】
しかし、これも先の特許文献６と同じ理由によって、原理的に理想的な圧力分布をウェーハとパッドの界面に形成することはできないため、理想的な研磨形状の制御はできないことは自明である。
【００６５】
特許文献８は、２層パッドを形成する上で、表層パッドがスラリ等で膨潤してしわよりを発生するため、しわよりを防止することを目的に支持層を設けている。この支持層として、シートを貼り付けた構成を開示している。しかし、このしわより防止のためのシートを、本発明の撓み変形シートとして利用したとしても以下の問題が生じる。
【００６６】
また、ウェーハを保持台に載せ置きするとしている。すなわち、ウェーハは保持台に吸着されること無く、普通に載せ置きされているとみなされる。そうしたウェーハが保持台に載せ置きされている場合に、まず、しわよりを防止するシートではなく、たとえ、本発明の撓み変形シートを用いたとしても、それは全く意味をなさないことになる。なぜならば、ウェーハは反りを持った状態で単純に載せ置きされている状態では、撓み変形シートで撓み変形を制御して押圧したとしても、ウェーハ自身がその保持台の上で撓むことが想定されるほか、ウェーハが反りを有する場合においては、その反りを補正する応力なども影響するからである。
【００６７】
本件特許では、ウェーハを裏面で吸着保持して、ウェーハの中立面を平面にするとともに、ウェーハの反りを強制することでウェーハ裏面を基準として、ウェーハ表面に、ウェーハ厚みむらや膜厚分布をすべて加えたウェーハ表面のうねり形状を定義する。
【００６８】
ウェーハ表面にあらかじめ形成された凹凸を平坦化する機能を有するとともに、先の状態で定義されたウェーハ表面のうねりに追従するため、パッドの撓み変形シートの撓み特性が平坦化とうねりへの追従との両立を果たすことになる。撓み変形シートは、ウェーハ裏面を基準としてウェーハ保持体と一体となった自信が撓むことの無い剛体とみなしうるウェーハに対してのみ、ウェーハ表面のうねり形状に追従するという本来の機能が発揮されるのである。
【００６９】
仮に、ウェーハを平面矯正しない状態であれば、ウェーハの反りを矯正できないほか、ウェーハの厚みむらや膜厚分布などが反りの影響と混乱し、ウェーハのうねり成分を定義できない。そのため、撓み変形シートが撓み特性として、ウェーハの表面の平坦化する領域では撓みを抑制し、一方でウェーハ表面のうねりに対しては、それに追従するように撓み特性を設定するとしているが、そうした設定そのものができない。場合によっては、うねりに追従させずに不均一に研磨する場合や、ウェーハ表面に形成された凹凸の平坦化を行うことができない場合なども存在する。
【００７０】
さらに、本発明に対して、特許文献８に示すしわより防止シートを使用しても、そのシートの撓み特性は、ウェーハ表面の平坦化とウェーハ表面のうねりに追従する目的として考慮されていないため、意味をなすものではない。すなわち、特許文献８では、ウェーハ表面の平坦化を担う部分は、表層の硬質パッドの部分である。しかし、その硬質パッドの部分は、スラリが膨潤することやドレッシングによりパッドの厚み自身が減耗することで、その撓み変形のその硬度は大きく変わり、撓み変形の度合いが大きくなる。
【００７１】
しわよりを防止するシートでは、そのシートの厚みがせいぜい0.05mm程度の薄手のポリエチレンシートを使用するとしている。パッドの厚みは1.3mm近くある。この程度の薄手のポリエチレンシートでは、パッドのしわよりを防止する程度においては有効であるかもしれないが、パッドの撓み変形特性を制御する上では厚みが非常に薄いため有効ではない。結果的には、表層パッドの撓み特性がそのまま影響することになり、結果的にスラリによる膨潤やドレッシングによるパッドの厚みの減耗による撓み剛性の低下の影響を大きく受けることになる。
【００７２】
本発明においては、撓み変形シートによって、パッドの撓み特性を制御し、パッドのスラリ膨潤による撓み特性の変化やドレッシングによるパッド減耗の影響を極力受けることなく、安定した撓み特性を得る程度の撓み変形シートを使用する。
【００７３】
そのため、その変形シートの厚みは、特許文献８では0.05mm程度としていたものに対して、少なくとも0.1mm以上必要とし、理想的には、パッドの厚みを考慮して0.2mm〜0.5mm程度の厚みが好適とされる。また、さらに詳細には、その撓み変形シートの厚みは、平坦化する領域においてはほとんど撓まないように設定し、うねりに追従する領域においては少ない分布荷重でも十分撓むように、部材のヤング率を考慮した厚みを設定することが望ましい。
【００７４】
そこで、本発明は係る事情に鑑みて、下記の課題を解決することを目的とする。
【００７５】
課題１：ウェーハの撓み剛性やウェーハの反りに影響されることなく、所望の研磨形状を得るための理想的な圧力分布を形成するための研磨装置を提供すること。
【００７６】
課題２：研磨中の発熱によってプラテンの表面が温められ、プラテンの裏面との温度差の影響でプラテンの平面度が多少変化しても、ウェーハ面内に及ぼす圧力分布が大きく変化せず、結果としてウェーハ面内の研磨均一性が大きく悪化しないようにする。さらに、研磨中の発熱がプラテンの表面にまで伝達し難くすることにより、プラテンの表面と裏面との温度差を大きくしないようにする。
【００７７】
課題３：研磨パッド裏面を粘着材や両面テープなどでプラテン上に貼り付ける際に、研磨パッド面内に気泡が入ってウェーハ面内に与える圧力分布へ悪影響を及ぼすことを防止する。
【００７８】
課題４：ウェーハ表面のなだらかなうねりに対して、ウェーハ表面に研磨パッドを倣わせつつも、ウェーハの裏面から一様な圧力で押圧する際、ウェーハが研磨パッド上で撓むことなく、ウェーハ面内で絶えず一定の平面となる中立面を有し、安定して一様な圧力分布をウェーハ上に形成できるようにする。
【００７９】
課題５：プラテンシートが弾性体である場合でも、プラテンシートの取付誤差による圧力分布の変化をなくし、シートをプラテンに取り付ける際に安定した圧力分布を形成できるようにする。
【００８０】
課題６：研磨パッドが完全にフラットであり、かつウェーハも完全にフラットである場合は、原理的には圧力が均等にかからないが、プラテンシートの形状によって、ウェーハ面内にかかる圧力分布が均一になるようにする。
【００８１】
課題７：プラテンに貼り付けるシートが、密度の高い弾性体であったとしても、押し付ける圧力によってその跳ね返りが生じないように、ウェーハ全面に均一な圧力分布を与えるようにする。
【００８２】
課題８：２層に形成された研磨パッドの表層の撓み剛性が弱い場合、あるいは撓み剛性が乾燥状態で強いとしてもスラリが浸透することによって撓み剛性が低下し、その結果、平坦化特性が悪化するような場合でも、２層目を硬質にして撓み変形を抑制することにより、ある程度の平坦度を確保する。また、研磨パッドのドレッシングにより、表層の厚みが変化して撓み剛性に関する指数が初期の状態から変化するような場合であっても、安定して一様な圧力分布をウェーハ上に形成できるようにする。
【００８３】
課題９：初期のウェーハが様々な膜厚分布を有する場合、その膜厚分布に応じて、所望の研磨後の膜厚分布にするように、その膜厚分布を補正する上で適合する圧縮変形板を選択し、その圧力分布調整シートを適正な方法で研磨定盤上に敷設して、圧力分布を調整することをできることを有する。
【００８４】
課題１０：さらに、繰り返し作業によって、弾性体自身は安定したウェーハ上への圧力分布形状を有し、その結果絶えず安定した、圧力分布形態を得ることができる。
【課題を解決するための手段】
【００８５】
本発明は上記目的を達成するために提案されたものであり、請求項１記載の発明は
研磨パッド上にスラリを滴下供給しながらウェーハと前記研磨パッドを相対的に摺接して研磨を行う研磨装置において、
前記ウェーハの裏面を基準面として、ウェーハ全面を減圧して平面矯正して取り付けるウェーハ保持台と、
前記ウェーハに対して相対的に運動するプラテン上に敷設固定されて所望の圧力分布を
形成された圧縮変形板と、
該圧縮変形板上に前記研磨パッドを張り上げて固定する張上機構とを有し、
前記研磨パッドは、前記圧縮変形板上に敷設されて撓み変形によって変位可能な撓み変形シートと、該撓み変形シート上に敷設されて滴下されたスラリを保持する表層パッドとを備え、
前記表層パッドは、前記撓み変形シート上に貼り付けられて一体化されていることを特徴とする
圧力分布調整機能を有する研磨装置を提供する。
【００８６】
この構成によれば、ウェーハを全面で減圧して平面矯正して保持することによって、ウェーハの反りに関係なく、絶えずウェーハを平面矯正して加工することから、ウェーハ状態に起因しない安定した圧力分布状態を形成し、その結果安定した研磨形状を得ることが可能となる。さらに、ウェーハに研磨荷重をかけた場合においても、従来のようにウェーハが撓むことはなく、ウェーハの中立面は絶えず平面を維持する。それによって、研磨荷重によってウェーハが撓んで変形し、そのウェーハの撓み変形が研磨時のウェーハ面内の圧力分布に影響することを排除することができる。
【００８７】
また、本発明に係る研磨パッドは、圧縮変形板上に敷設されて撓み変形によって変位可能な撓み変形シートと、撓み変形シート上に敷設されて滴下されたスラリを保持する表層パッドとを備えている。
【００８８】
このパッド構成によれば、撓み変形によって変位可能な撓み変形シートによって、表層パッドがたとえスラリによって膨潤したとしても、表層パッドの撓みよりも、この撓み変形シートの方で撓み加減を律速することによって、パッドの消耗やスラリの膨潤によらず安定した撓み変形を確保することができ、安定した平坦化特性を得ることができる。
【００８９】
また、撓み変形シートを裏側で支える、あらかじめ所望の圧力分布を形成した圧縮変形板によって、ウェーハとパッドが当接した際、ウェーハ全面をマクロ的にみた場合の圧力分布を制御することが可能となる。また、マクロ的にみた場合の圧力分布について、表層パッドの下にある撓み変形シートは、ウェーハのうねりに追従する程度の領域においては、ほとんど抵抗なく撓むことが可能となる。
【００９０】
後述するが、撓み変形に関する式によれば、撓み変形する変位量は、同じ分布荷重がかかった状態では、半径の4乗に比例することが分かる。すなわち、狭い範囲では撓み変形は非常に小さく無視されるが、少し広い範囲になると、容易に大きく撓むことを示している。この撓みの原理を利用して、ここで、平坦化を必要とする狭い領域においては撓み変形シートを撓ませず、パッドを剛体として作用させ、ウェーハ表面のうねりに追従させて均一に研磨する領域においては、容易に撓むような撓み剛性にすればよい。その領域の半径の4乗に比例して撓み量が変化するため、適正な撓み剛性の撓み変形シートを選択すれば、撓み変形をドラスティックに変化させることが可能となる。
【００９１】
従来問題となっていた表層パッドがスラリを含んで膨潤することにより、撓み変形の剛性が変化し、その結果ウェーハ表面の凹凸の平坦化研磨を行う研磨性能が著しく悪化するといった問題はない。
【００９２】
なぜならば、この撓み変形に対しては、表層パッドの下側にある撓み変形シートの撓み変形が支配的になり、表層パッドの撓み変形は、このスラリに対して膨潤することのない撓み変形シートの撓み変形によってほとんど制御されることになるからである。
【００９３】
さらに、パッド全面、とくに撓み変形シートは一様な厚み構成である。この撓み変形シートが一様な厚みを持つことによって、従来のパッドにあったような局所的な強度の弱い部分をもつことはない。その結果、研磨することによるせん断応力と、ウェーハを純粋に押圧する応力に複合されたねじりの応力は、一様な撓み変形シートで分散される。その結果、従来の溝や区分化された硬質部材のパッドを使用する際に予測されるフレッチング現象などは起きることはなく、撓み変形シート全体で研磨のせん断応力を受けることになる。
【００９４】
その結果、パッドが研磨途中で一部の強度が弱いところに応力が集中することにより、フレッチング現象がおき、その結果、その部分からパッドが破断したりすることはない。また、表面のパッドおよび撓み変形シートが、そのねじりの応力によって、弾性体から一部浮き上がるような現象が生じ、表層パッドがウェーハ内の一部に及ぼす圧力分布が、極端に大きくなって悪化することもない。その結果、撓み変形シートが長期に渉って安定した強度を保持し、安定した圧力分布状態の下で、安定した研磨形状を得ることが可能となる。
【００９５】
また、表層パッド、および撓み変形シートなどに厚みのばらつきがあったとしても、ウェーハ表面全体のうねりに追従するための弾性変形は、先の圧縮変形板が十分な変形マージンを有するため、多少の部材の厚みばらつきによらず安定した所定の圧力分布を形成する。その圧力分布をウェーハの撓み変形に阻害されることなく、安定してウェーハ上にそのまま圧力分布を伝達することができる。
【００９６】
結果として、安定した研磨形状をウェーハの撓み剛性(厚みの違うウェーハなど)や、ウェーハのそりに関係なく、安定した所望の研磨形状を得ることが可能となる。さらに、初期のウェーハの膜厚分布がたとえ不均一であったとしても、所望の研磨形状を得ることから、その初期の不均一膜厚分布を修正して、研磨後に均一な圧力分布を得ることが可能となる。
【００９７】
尚、ここで、ウェーハの平面矯正は特に本発明の主題とする研磨の形状を制御する場合には必須となる。ウェーハが平面矯正されていない場合、いくらパッドの下側の圧縮変形板に圧力構成をつけても意味をなさない。特に、初期ウェーハの膜厚分布が均一ではなく、その不均一な膜厚分布を補正して研磨することが必要な場合においては、それが顕著になる。
【００９８】
例えば、ウェーハを平板に載せ置きし、その載せ置き状態で反りがある場合、そのウェーハに一様な研磨荷重をかけたとしても、一様な研磨荷重にはならない。ウェーハの反りを補正するための偏った研磨荷重をかけてウェーハの反りを矯正して、その上で一様な研磨荷重をかけることが必要になる。
【００９９】
そのときの、ウェーハの反りを矯正するための偏った研磨圧力と、ウェーハの初期の膜厚分布を補正するための恣意的に不均一にかける研磨圧力とが、ほぼ同じ程度で同じ位置における偏差圧力であったとした場合、初期の膜厚分布の形状を補正するための偏った研磨圧力を与えたとしても、その偏差分の圧力状態がウェーハの反りを修正するために使用される場合もありうる。このような状態では、初期の膜厚分布を補正することはできず、均一な研磨を行ってしまい、結果として得たウェーハの膜厚分布が初期の膜厚分布と同様に不均一な状態で終了してしまうことになる。
【０１００】
よって、より初期の膜厚分布を修正するための偏差を持った圧力分布を効果的に作用させるためには、ウェーハの反りの影響を極力排除した形でウェーハを保持し、その上で、制御性のある圧力分布状態をもつ圧縮変形板によって、安定した圧力分布をウェーハに与えることが重要になる。
【０１０１】
さらに、同時に圧力分布調整は圧縮変形板と撓み変形シートの二つが、圧縮変形と撓み変形の二つの機能を、独立して作用させることが必要となる。圧力分布により研磨形状を制御するとしても、前提として、ウェーハ平面に形成された凹凸を平坦化することが、その前提条件として求められる。そのための方法として本発明に示す方法では、部材の撓み特性を利用する。部材の撓み特性は、先にも述べたように領域の半径の4乗に比例して変位量が増大するため、領域の大小によってオンオフするような効果を出すことが可能となる。
【０１０２】
さらに、従来の区画化した硬質部材ではなく、一様な撓み変形シートによって、その撓み量を制御しているため、研磨のせん断と押し付ける応力によって発生するねじりの応力を局所的に受けることはなく、一様な撓み変形シートによって分散してその応力をうけることになる。その結果、撓み変形シートが破断することはないほか、局部的に弾性体から浮き上がるようなことも起きず、安定した撓み変形を有した状態で、絶えず一定の圧力分布を与えることが可能となる。
【０１０３】
また、本発明に係る研磨装置は、圧縮変形板上に研磨パッドを張り上げて固定する張上機構を有している。
【０１０４】
この構成により、張上機構が、表層パッドと撓み変形シートとを相互に貼り付けて一体に構成された研磨パッドをプラテンの側面下方へ引き下ろした状態で圧縮変形板上に張り上げて固定するため、表層パッドの貼り付けに伴う圧力変化がなく、表層パッドが膨潤しても伸びることなく圧縮変形板における表面の弾性体に装着される。また、一体に貼り付けられた表層パッドおよび撓み変形シートは容易に撓むため、圧縮変形板で形成された圧力分布を反映する。さらに、一体に貼り付けられた表層パッドおよび撓み変形シートと、弾性体との間に両面テープを介在させないので、安定した圧力分布を確保できる。
【０１０５】
これにより、従来であれば、研磨パッドを作業者が交換していたことによって、その作業者自体の技量に依存する貼り付けのばらつきなどが生じていたが、本発明では、貼り付けのばらつきによる圧力分布ばらつきを生じることがない。
【０１０６】
さらに、従来のような両面テープなどを利用した貼り付け方法によると、例えば撓み変形シートを圧縮変形板にある弾性材料に貼り付ける場合、弾性材料が粘着テープで貼りつかず途中で剥がれる問題などが生じる。もしくは仮に貼り付いた場合においては、次に剥がす際に表面の弾性材料をむしりながら剥がすことになりかねない。
【０１０７】
加えて、圧縮変形板の表面や撓み変形シート表面を何等かの処理を施して、付け剥がしが容易にでき、安定した接着能力を確保できたとしても次の問題が起こる。すなわち、研磨時においては、研磨のせん断応力が作用するとき、それはそのまま圧縮変形板上の弾性体を捻ることになる。このねじりの応力で弾性体は横方向に変形し、長期に使用することで、安定した弾性回復力を失うことになる。圧縮変形板は、そのあらかじめ所定の圧力分布を形成した形状であるため、長期にわたって交換頻度を小さくして使用することが好ましい。圧縮変形板に絶えず横方向の応力が作用することで、こうした使用可能な寿命を極端に短くすることになる。
【０１０８】
張上機構が、研磨パッドの外周縁部を挟持しながらプラテンの側面下方へ引き下ろした状態で固定することによって、パッドに及ぼされる研磨によるせん断応力は、張上機構で支えられることになる。その下の圧縮変形板に対して横方向の応力を作用させることはない。そのため、圧縮変形板には、単純に圧縮方向の研磨による繰り返し荷重がかかるだけとなる。このような形であれば、圧縮変形板は、十分に繰り返しの圧縮応力に耐え得る材料で形成されているため、長期に渉って使用することが可能となる。
【０１０９】
また、表層パッドと一体となった撓み変形シートは、圧縮変形板上でウェーハのうねりに対して十分に変位することができる程度に撓むが、引っ張り方向の応力に対しては大きく変形することなく、十分な強度を有する。それによって、パッドが研磨のせん断応力によって破断することはなく、また皺がよることもない。
【０１１０】
さらに、パッドの交換時は、研磨パッドのみを交換すればよい。また、その交換方法は、パッドの外周リングを外して、圧縮変形板を残して研磨パッドを取り外し、パッドを取り付ける際は、外周リングを圧縮変形板上に載せ、外周部で張り上げるだけで容易に取り付けることが可能である。
【０１１１】
このような方法によって、従来の両面テープ使用によるパッドのプラテン上への接着時の問題にあったように、研磨定盤とパッドの間に気泡が入ることで、パッドとウェーハ間との圧力分布にばらつきが生じるということはない。作業者の技量によることなく、安定して圧縮変形板上にパッドを取り付けて安定した圧力分布を持たせることが可能となる。すなわち、両面テープを介在させないことで、安定した圧力分布を形成できる。
【０１１３】
この構成によれば、スラリを保持する表層パッドと撓み変形シートが全面で一体化されていることにより、たとえスラリを保持する表層パッドが膨潤して変形したとしても、その膨潤による伸びの変形を撓み変形シートによって抑制することができる。さらに、表層パッドが撓み変形シートに強固に固定されていない場合では、スラリを保持する表層部分が、研磨のせん断応力によって捻られて破断することが予測されるのに対し、本発明によれば、スラリ保持部分と撓み変形シートが強固に固定されることで、このような懸念はない。
【０１１４】
さらに、ウェーハの凹凸を平坦化とウェーハ表面のうねりに追従する機能の二つを両立するための撓み変形シートによる撓み変形制御において、撓み変形シートと表層パッドが一体化することで、その一体化した部分で安定した撓み変形制御が可能となる。さらにスラリを保持する部分が、スラリ保持やパッドドレッシングによるパッド厚みの減少によって、撓み剛性が低下したとしても、密着された撓み変形シートの撓み剛性が支配的に影響することによって、スラリ保持部を含めて安定した撓み変形制御を実現することができる。その結果、ウェーハ表面の平坦化とウェーハ表面のロングレンジのうねりに追従する機能とを両立させることが可能となる。
【０１１５】
請求項２記載の発明は、前記圧縮変形板における表面の弾性体は、空隙のない圧縮永久歪の小さい弾性材料にて形成されるとともに、前記研磨パッドに対向する対向表面を区分化され、
該区分化された弾性体の対向表面は、夫々独立して変形することを特徴とする請求項１記載の圧力分布調整機能を有する研磨装置を提供する。
【０１１６】
この構成によれば、圧縮変形板として、研磨による繰り返し応力を受ける上においても、弾性体に圧縮永久ひずみが残らず、絶えず安定した弾性回復力を有する密な材料を選択することができる。仮に、密ではない弾性材料、たとえばスポンジのような空隙を有する弾性体の場合、繰返し応力下で弾性体そのものが変形し、安定した弾性回復力が望めず、研磨の圧力分布を繰り返し再現できるものでない。
【０１１７】
また、上記示すような安定した弾性回復力を有する密な材料では、ある領域で局所的に弾性体が変形したとした場合、弾性体の体積自体を一定に保とうとする働きから、その近傍付近で跳ね返りの応力が発生する。これにより、研磨の圧力分布を絶えずウェーハ面に追従させることは難しい問題があった。
【０１１８】
しかし、密な圧縮変形板の弾性体における対向表面に溝を持たせるか、弾性体そのものを区分化して配置するかによって、個々の弾性体領域において、個別に独立して変形することが可能となる。従来のような跳ね返りの応力を生むことはなく、ウェーハ表面のうねりに対しても絶えず一様に追従することが可能となる。
【０１１９】
その結果、安定した所定の圧力分布をウェーハ上に形成することができ、ウェーハ研磨形状を精度良く制御することが可能となる。
【０１２０】
また、この構成によれば、弾性体の対向表面は、例えば、溝などによって区分化されており、おのおのが独立して変形する。弾性体が区分化されていない場合、上記のような圧縮永久ひずみの小さい弾性材料(弾性体)を使用すると、変形した場合でも、弾性材料の体積を一定に保つように他の部分が盛り上がって、変形状態を完了する。研磨におけるこの弾性材料の変形では、一部がウェーハのうねりによって変形したとしても、その他の部分でこのような跳ね返りがあるために、結果的にそれぞれのウェーハ場所によって独立して押圧することはできない。
【０１２１】
圧縮変形板の弾性体が区分化されていることにより、区分化されている部分のおのおのが独立して変形し、結果としてウェーハ表面のうねりに関係なく、研磨の圧力分布を制御することが可能となる。
【０１２２】
したがって、例えば弾性体が密度の高い弾性材料で形成されている場合、一部のエリアで凹んだとしても、別のエリアにその跳ね返りが生じるのを防止でき、ウェーハ面内にかかる圧力分布を均一にできる。
【０１２３】
請求項３記載の発明は、前記圧縮変形板は、圧縮変形するための前記弾性体と、該弾性体を全面で一様固定する硬質板とを備えていることを特徴とする請求項２記載の圧力分布調整機能を有する研磨装置を提供する。
【０１２４】
圧縮変形板が弾性体だけで構成される場合、圧縮変形板をプラテンに固定することが難しく、例えば、ねじ固定はできない。両面テープや接着固定では、貼り付け方によって圧力ばらつきができ、作業者がそれを容易に行うことはできない。しかし、この構成によれば、あらかじめ所定の圧力分布が形成された弾性体を硬質板に貼り付けられているため、硬質板面をそのまま研磨定盤に載せるだけで作業者が容易に取り付け可能となる。
【０１２５】
また、取り付けの際の精度においても、プラテンと硬質板が十分面精度が確保されておれば、面を合わせるだけである。さらに双方が十分剛性を有するものであれば、ねじ固定などによって、十分取り付け可能である。そのねじ固定によっても、弾性材料の圧力分布が乱されることはない。
【０１２６】
さらに、弾性体の裏面に硬質板を一体に貼り付けて、所定の圧力分布が形成された圧縮変形板をプラテン上に装着し、さらに、裏面に撓み変形シートを一体に貼り付けた表層パッドを弾性体の上に装着する。すなわち、プラテンの表面には、上から順番に表層パッド、撓み変形シート、弾性体、硬質板が貼り付けられており、圧縮変形板は、弾性体と硬質板が一体となったものとしている。
【０１２７】
この構成によれば、圧縮変形板によってプラテン表面と裏面で多少の温度勾配によって熱変形したとしても、その変形を弾性体の変形マージンによって吸収するとともに、物質の弾性変形に応じて安定した所定の圧力分布が形成される。また、弾性体でプラテンを保護することにより、プラテンに打痕などがついても、圧力分布が変化しない。さらに、弾性体を硬質板に貼り付けて一体構成にしたので、プラテンを取り換えずとも容易に圧力分布調整が行える。
【０１２８】
請求項４記載の発明は、前記圧縮変形板は、前記プラテン上から一体で交換可能に形成されていることを特徴とする請求項３記載の圧力分布調整機能を有する研磨装置を提供する。
【０１２９】
この構成によれば、圧縮変形板を構成する弾性体と硬質板とが一体となって交換可能に形成されている。これにより、弾性体と硬質板とが、プラテンと研磨パッドとの間で不要に移動することを回避するため、圧縮変形板に形成された圧力分布を長期に亘って安定させることができる。
【０１３０】
請求項５記載の発明は、前記圧縮変形板は、その表面を予め圧力分布を考慮した形状に形成されていることを特徴とする請求項４記載の圧力分布調整機能を有する研磨装置を提供する。
【０１３１】
この構成によれば、あらかじめ圧縮変形板に圧力分布が形成されていることから、パッドによることなく、安定した圧力分布をウェーハに与えることが可能となる。特に、パッドは研磨とともにパッドドレッシングによって消耗し、消耗による交換頻度は非常に高い。それに対して、圧縮変形板は、研磨の応力を受けるだけであり、表層のパッドと違って、スラリに浸されることやドレッシングによって消耗することもない。よって、応力を繰り返し受ける状態にあっても、圧縮永久ひずみの小さい弾性材料を使用することによって、長期に渉って、同様の弾性回復力を出すことは可能となり、安定した圧力分布を形成することが可能となる。
【０１３２】
圧縮変形板は、十分な変形マージンをもちながら変形する。それによって、部材の厚みむら、プラテンの熱変形による厚みむら及びウェーハ基板それ自体の厚みむらなど、一連の多少の寸法変形を十分に許容するだけの変形マージンを有している。この十分な変形マージンを有する状態で、あらかじめ圧縮変形板に設けた圧力分布をウェーハに与えることによって、こうした各種の外乱の影響を受けることがないロバスト（安定）な圧力分布をウェーハに与えることが可能となる。
【０１３３】
さらには、ウェーハを減圧吸着してウェーハ裏面を基準として平面矯正している。この平面矯正された状態でウェーハは、研磨圧力を受けても裏面の平面状態はほとんど変形しない。その変形しない基準状態の下で、あらかじめ圧力分布を設定した圧縮変形板の圧力分布をウェーハ表面に作用することで安定した圧力分布をウェーハ表面に作用させることが可能となる。
【０１３４】
請求項６記載の発明は、前記研磨パッドは、前記ウェーハ表面の凹凸を平坦化する領域において、前研磨パッドの撓み変形量が圧縮変形量より小さく、前記ウェーハ表面のうねりに追従する領域において、前記研磨パッドの撓み変形量が圧縮変形量より大きくなるように撓み剛性を設定されていることを特徴とする請求項１記載の圧力分布調整機能を有する研磨装置を提供する。
【０１３５】
この構成によれば、ウェーハ表面の凹凸を平坦化する領域においては、上記一体化した表層パッドの撓み変形量が圧縮変形量よりも小さくなるように研磨パッドの撓み剛性を設定する。これに対して、ウェーハ表面のうねりに追従する領域においては、一体化した表層パッドの撓み変形量が圧縮変形量よりも大きくなるように研磨パッドの撓み剛性を設定する。
【発明の効果】
【０１３６】
本発明は上述したように、弾性体の裏面に硬質板を一体に貼り付けてプラテンの上に装着し、さらに、表層パッドの裏面に撓み変形シートを一体に貼り付けて弾性体の上に装着し、ウェーハの反りを修正しながら、ウェーハの平均化を行うように構成したので、弾性体によってプラテンの熱変形を吸収し、物質の弾性変形に応じて安定した圧力分布を形成することができる。また、弾性体でプラテンを保護することにより、プラテンに打痕などがついても、圧力分布の変化を防止できる。さらに、弾性体を硬質板に貼り付けて一体構成にしたので、プラテンを取り換えずとも容易に圧力分布調整が可能となる。
【０１３７】
また、表層パッドが展延性の小さい撓み変形シート上に貼り付けられているので、表層パッドを貼り付けるための両面テープが必要でなくなり、圧力分布以外に粘着力の微調整などが不要になる。
【０１３８】
また、張上機構が一体に貼り付けられた表層パッドと撓み変形シートとから成る研磨パッドを研磨パッド上で張り上げて固定するため、表層パッドの貼り付けに伴う圧力変化を防止でき、表層パッドが膨潤しても伸びることなく装着することが可能である。また、一体に貼り付けられた表層パッドおよび撓み変形シートは容易に撓むため、弾性体で形成された圧力分布を反映することができる。さらに、一体に貼り付けられた表層パッドおよび撓み変形シートと、弾性体との間に両面テープを介在させないので、安定した圧力分布を確保することができる。
【０１３９】
また、弾性体は圧縮変形の小さい材質にて形成され、かつその表面は予め圧力分布を考慮した凸面形状に形成したので、表層パッドの撓み剛性が低下した場合でも圧力分布の変化を抑えて、ウェーハ面内の研磨均一性を保持することができる。また、弾性体の表面が予め圧力分布を考慮した凸面形状に形成されているので、研磨パッドおよびウェーハが完全にフラットである場合でも、ウェーハ面内で均一な圧力分布が与えられて研磨均一性を確保することができる。
【０１４０】
また、弾性体の対向表面は区分化されて、おのおのが独立して変形し、かつ弾性体および硬質板が一体で交換可能に形成したので、プラテンに貼り付けるシートが、密度の高い弾性体であったとしても、押し付ける圧力によってその跳ね返りが生じないように、ウェーハ全面に均一な圧力分布を与えることができる。また、研磨パッドのドレッシングにより、表層の厚みが変化して撓み剛性に関する指数が初期の状態から変化するような場合であっても、安定して一様な圧力分布をウェーハ上に形成することができる。
【図面の簡単な説明】
【０１４１】
【図１】本発明に係るＣＭＰ式の研磨装置の全体斜視図。
【図２】ウェーハ保持台の説明図。
【図３】圧縮変形板の圧力分布形状の説明図。
【図４】研磨パッドの押圧状態の説明図。
【図５】図４に対応するばねモデルの説明図。
【図６】凹みの大きさと変形量を比較するグラフ。
【図７】凹みの大きさに対する変形特性の説明図。
【図８】研磨パッドの構成を示す説明図。
【図９】プラテンの説明図。
【発明を実施するための形態】
【０１４２】
研磨中の発熱によってプラテンが熱変形するのを防止するとともに圧力分布変化することを最小限に抑えたプラテンシートを提供するという目的を達成するために、研磨パッド上にスラリを滴下供給しながらウェーハと前記研磨パッドを相対的に摺接して研磨を行う研磨装置において、
前記ウェーハの裏面を基準面として、ウェーハ全面を減圧して平面矯正して取り付けるウェーハ保持台と、
前記ウェーハに対して相対的に運動するプラテン上に敷設固定されて所望の圧力分布を形成された圧縮変形板と、
該圧縮変形板上に前記研磨パッドを張り上げて固定する張上機構とを有し、前記研磨パッドは、前記圧縮変形板上に敷設されて撓み変形によって変位可能な撓み変形シートと、該撓み変形シート上に敷設されて滴下されたスラリを保持する表層パッドとを備え、前記表層パッドは、前記撓み変形シート上に貼り付けられて一体化されている圧力分布調整機能を有する研磨装置により実現した。
【実施例１】
【０１４３】
図１はＣＭＰ式の研磨装置の全体斜視図、図２はウェーハ保持台の説明図である。研磨装置１０は、主としてウェーハを保持するウェーハ保持台２０と、回転するプラテン３０と、プラテン３０の上に圧縮変形板４０を介して装着された研磨パッド５０とから構成されている。前記ウェーハ保持台２０は円盤状に形成され、その下面にウェーハを減圧して保持し、その上面中央部に回転軸２１が連結されて、図示しないモータの駆動によって矢印Ａ方向へ回転する。
【０１４４】
ウェーハ保持台２０は、全面に減圧吸着用の溝がつけられている。この吸着台の溝に連通する減圧吸引孔２０ａを通して、減圧することにより、ウェーハをウェーハ保持台２０に強固に吸着保持することが可能となる。ウェーハ保持台２０のウェーハチャック板２０ｂの表面の平面度は、例えば5μm程度に仕上げられている。またウェーハ保持台２０の平行度も10μm以内である。このような状態でウェーハはたとえ反りを持っていても、この減圧吸着によって、その反りは十分矯正することが可能となる。結果的には、ウェーハ裏面を基準としてウェーハは撓むことなく強固に平面矯正される。
【０１４５】
次に、圧縮変形板４０は、弾性体４１を硬質板４２に貼り付けた構成としている。硬質板４２の材質としては、ステンレスやセラミックスなど、多少の応力をうけても変形しない平面基準となる部材を使用することが望ましい。
【０１４６】
この硬質板４２がベースとなって圧縮変形板４０となり、プラテン３０にそのまま取り付ける。プラテン３０上にこの硬質板４２を取り付ける場合は、プラテン３０の面と硬質板４２の面を合わせるだけとし、プラテン３０上にピン（図示せず）を立てておき、硬質板４２がプラテン３０の面に対してずれないようにしておけばよい。
【０１４７】
また、別の方法として、硬質板４２の外周部をプラテン３０にねじ固定によって取り付けてもよい。双方が十分硬質で合わせ面で合わせているため、周辺をねじ固定したとしても、その固定方法で圧縮変形板４０がウェーハに及ぼす圧力分布に影響することはない。
【０１４８】
硬質板４２の上に、弾性体４１を貼り付ける方法は、両面テープによる方法や接着剤による方法などが選択される。圧力分布の形成に非常に敏感な部材であるため、弾性体４１をできる限り全面一様に硬質板４２に貼り付ける方法が望ましい。
【０１４９】
弾性体４１の材料は、スチレンブタジエンラバーやニトリルブタジエンラバーなど、圧縮永久ひずみの残らないゴム材料を使用することが望ましい。また、ゴム硬度は、JIS6253で20から60程度の材質を選ぶとことが望ましいが、これはゴム材料の表面形状にもよる。表面を微小区画に切れ目を入れることで、みかけの変形量を大きくし、多少硬い材料であっても柔らかくすることは可能となる。
【０１５０】
次に、図３に示すように、弾性体４１にあらかじめ圧力分布形状をつけておく。弾性体４１の表面、すなわち、弾性体４１上に載置される研磨パッド（図示せず）に対向する対向表面４１ｓを所定形状に削りだすことで、こうした圧力分布形状を出すことは可能である。その圧力分布を形成するための圧縮変形板４０の弾性体４１を成形する形状は、図３（ａ）に示す凸面形状、図３（ｂ）に示す凹面形状、図３（ｃ）に示すテーパ形状など、様々な形状にすることが可能である。このような形状は、あらかじめ市販の圧力分布測定装置などを用いて、その圧力勾配に基づいた形状になるように修正して弾性体の対向表面４１ｓを加工すればよい。
【０１５１】
弾性体４１の対向表面４１ｓの加工方法は、型等により成形することも可能であるが、硬質板４２に弾性材料を両面テープや接着剤４３にて全面接着した後に、表面を研削加工することが最も細かく圧力分布を修正する上で好適である。弾性体４１の表面形状としては、例えば、弾性体４１の対向表面４１ｓを100μmから200μm程度ほど、ウェーハ中央部に接する部分(弾性体の中心と外周の中間部分)が、ウェーハ周辺部に接する部分(弾性体の中心か外周部分)に比べて高くなるように設定するようにした。
【０１５２】
弾性体４１のトータル厚みは7mmとし、その下の硬質板４２の厚みは、SUSで作製して厚みを1cmとした。SUS部の平行度、平面度は、10μm以下程度とした。この精度では、弾性体４１の変形マージンを十分取ることが可能である。
【０１５３】
次に、圧力分布形状を設けても、必ずしも所望の圧力分布形状にならない場合もある。これは先に述べたように、密度の高い弾性体４１の場合、体積を一定に保つように変形するため、ある箇所で局部的に変形した弾性体４１の体積は、別の箇所に跳ね返りとしてその変形分盛り上がるようになる。弾性体４１の体積を一定に保つために、局部的な変形を許容しないように弾性体４１が変形することになり、結果として、歪な変形になることもある。
【０１５４】
そのようなことから、図３（ｄ）に示すように弾性体４１の対向表面４１ｓに溝４１ａを設けている。この溝４１ａは弾性体４１がそれぞれ縦方向に圧縮変形を受けた場合に、弾性体４１が体積一定に保つように変形するとしても、その変形による体積減少分は溝４１ａの部分で膨らむことになる。その結果、溝４１ａに仕切られたそれぞれの区画の部分で、独立して弾性体４１が圧縮変形することを許容する。この溝４１ａの形状としては、格子状や三角状、円状など様々な模様で溝４１ａを弾性体４１の対向表面４１ｓに形成することが可能である。溝４１ａの形状として、深さを例えば5mmとした。また、溝ピッチは、15mmとし、溝幅は1mm程度とした。
【０１５５】
図４は本件特許における表層パッド５１と撓み変形シート５２とを一体化した研磨パッド５０が凹みを押圧する状態の断面図、図５は対応するばねモデルの説明図である。尚、説明の都合上、ウェーハとパッドの位置関係を上下逆にしている。
【０１５６】
図４に示すように、弾性体４１の上に、表層パッド５１と撓み変形シート５２とからなる研磨パッド５０を取り付ける。撓み変形シート５２は、引っ張り応力に強いが、可撓性の部材であることが望まれる。なぜならば、本方式の場合、この撓み変形シート５２の撓み変位が、ウェーハＷを平坦化するオーダーではほとんど撓まず、ウェーハＷのうねりに追従するオーダーでは、十分に撓んでウェーハＷ表面に追従する程度の撓み変形シート５２が望まれる。
【０１５７】
そのため、撓み変形シート５２の材質としては、ステンレスシートやその他の金属材料、ないしはPET材料やテフロン（登録商標）シートなどが好適である。撓み変形シート５２の厚みは、例えばPET材料やその他の樹脂シートを使用した場合、1mm〜2mm程度が好適であるが、これより薄いものであっても構わない。この撓み変形シート５２の厚みは、平坦化するウェーハＷ表面に形成された凹凸の横方向の大きさに依存する。すなわち、せいぜい0.01mmオーダーのエリアにおける凹凸であれば0.05mm程度の厚みで十分であるが、それが1mm程度のオーダーのエリアにおける凹凸が形成されているとすれば、撓み変形シート５２は1mm程度の厚みが必要となる。
【０１５８】
撓み変形シート５２が1mm程度の厚みであれば、その部材のヤング率にもよるが、ウェーハＷ上にφ100mm領域程度のうねりがある場合であっても、表層パッド表面はウェーハＷ表面に難なく、追従することが可能となる。その結果、撓み変形シート５２が、圧縮変形板４０の圧縮変形量に依存した形態で撓み変形シート５２が撓むことが可能となる。
【０１５９】
さらに、その撓み変形シート５２の上には、スラリの保持性がよく、研磨に寄与する表層パッド５１がある。この表層パッド５１は、果たすべき機能として、研磨に寄与するということであるが、具体的にはスラリの保持性がよく、また、表層パッド５１が目詰まりした場合に、その状態から回復可能なようにパッドドレッシングを行うことが可能であることなどの機能が求められる。
【０１６０】
例えば、硬質な材料で表層パッド５１を形成した場合、たとえばポリエチレンシートや塩ビシート、アクリルシートなど、単純なシート材料を使用したとしても、スラリの保持性は悪く、さらに、スラリ保持性を浴するためにその表面をパッドドレッシングするなどもできないことが考えられる。そのため、例えば、樹脂といっても発泡体や不織布に硬質樹脂を含浸した材料が使用される。ニッタハース社製のIC1000(厚み1.27mm)などはスラリ保持性が良く、パッドドレッシング可能であり、良好な研磨特性を得ることのできる表層パッド５１の一例である。
【０１６１】
当然ながら、こうしたスラリ保持性がよいパッド材料は、スラリを保持する際に多少膨潤してスラリを保持する。さらに、スラリの保持面積を大きくするため発泡体などの形状をしている。こうした発泡体形状の部材においては、スラリを保持することで、パッド自体が膨潤して拡張するため、当然、硬度や撓み変形度合いなどは変化する。そのため、パッド材料を撓み変形シート５２の代わりとして、一定の撓み変形を維持させて使用することは難しく、パッドはスラリ保持性能や、ドレッシング性能により表面状態が絶えず維持され、研磨特性を最も良好に得るための部材とすることが本来の機能である。
【０１６２】
そうしたことから、撓み変形シート５２に求められる機能は、表層パッド５１が果たすことができないスラリの保持性やパッドドレッシング状態などに関係なく、安定した撓み特性を得ることが求められる。そのため、発泡体や不織布に硬質樹脂を含浸したような材料で形成することは撓み変形の安定性を大きく阻害するものになるため、極力無垢でスラリを保持しない強固なシート材料であることが望ましい。
【０１６３】
また、この表層パッド５２と撓み変形シート５１は、一体となって圧縮変形板４０上で撓むことが必要とされるため、一体化していることが望ましい。一体化の方法としては、両面テープなどによる貼り付けや接着剤による貼り付け、熱圧着など様々な方法を用いることができる。撓み変形シート５１と表層パッド５２が一体化された場合においても、それぞれの部材の特性から、層ごと(表層パッド５２部分と撓み変形シート５１部分)に性質は異なることは自明である。
【０１６４】
次に、撓み変形シート５２に関するウェーハ表面を平坦化する効果と、ウェーハ表面のうねりに追従する原理について述べる。
【０１６５】
図４に示すように、ウェーハＷ上に直径２ａの凹み２２を想定し、凹み２２の径(大きさ)によるパッドの追従性を評価する。追従性がよい場合、即ち凹みにまで十分パッドが到達する場合は、均一に研磨進行することを示す。凹みに追従しない場合は凸部だけを選択的に研磨することを示す。
【０１６６】
図５に示すように、撓み変形シート５２と表層パッド５１で構成された研磨パッド５０と、その下の圧縮変形板４０を合わせたばねモデルは、ばね定数が大きく異なるばねＡとばねＢが直列に繋がれ、その間に板ばねＣを挟んだ状態とみなされる。ばねＡは、表層パッドの圧縮変形を指す。硬質部材で変形しにくく、ばね定数は非常に大きい。ばねＢは圧縮変形板の圧縮変形を指す。弾性体で形成されているため、ばね定数は小さく、ばねＡと比較すると容易に変形する。
【０１６７】
その間の板ばねＣは、表層パッドの裏側に貼り付けられている撓み変形シートに相当する。この３つのばねの状態によって、微小な凹凸の平坦化とウェーハ全面に対する均一研磨の両立を図る。平坦化研磨と均一研磨の両立を図る上で、表層パッドの縦弾性による変形(ばねＡ)と撓み変形シートの撓み変形(ばねＣ)との変形の兼ね合いが重要になる。
【０１６８】
一様な分布圧力pがパッドに働いた場合に、表層パッドの縦変形ωAは、次式で近似的に求められる。
【０１６９】
【数１】
0005528520.tif 000002
【０１７０】
尚、ＥAは次式で示される。
【０１７１】
【数２】
0005528520.tif 000003
【０１７２】
次に、同様に一様な分布圧力が加えられたときの撓み変形シートの撓み変形量を求める。一様な分布圧力ｐが撓み変形シート(板ばねC)に働くとして、半径ａの凹みに対する撓み変形シートの最大撓み量ωCは次式で表すことができる。
【０１７３】
【数３】
0005528520.tif 000004
【０１７４】
尚、Ｄは次式となる。
【０１７５】
【数４】
0005528520.tif 000005
【０１７６】
図６は、凹みの半径ａに対して、表層パッドの変形量(ばねＡの変形量)と撓み変形シートの撓み変形量(板ばねＣの撓み量)を比較するグラフ、図７は凹凸領域に対する撓み変形シートの変位特性の違いを示す説明図である。尚、説明の都合上、図７はウェーハとパッドの位置関係を逆にしている。
【０１７７】
図６に示すように、表層パッドの変形量は、凹みの領域が大きくなっても理論上一定の値となる。それに対して、撓み変形シートの撓みによる変形量は、凹みの半径ａの４乗に比例して、急激に増大する。凹みの半径ａが4mm未満の場合、撓み変形シートの撓み変形量は無視できるほど小さく、表層パッドの変形量が撓み変形シートの撓み量を上回る。この領域では、硬質な部材である表層部材の変形量が支配的であるため、凹みに追従することなく、凸部が選択的に研磨される。
【０１７８】
【表１】
0005528520.tif 000006
【０１７９】
一方、凹み半径ａが4mm以上の場合、撓み変形シートの撓み変形量が表層パッドの圧縮変形量を大きく上回る。撓み変形シートが撓みは、圧縮変形板の変形で支えられる。半径ａが10mm以上の場合では、撓み変形シートの撓み変形量は非常に大きく、変形に要する応力はほとんど無視できることから、トータルのばね定数Ｋは、表層パッド(ばねＡ)のばね定数ＫAと圧縮変形板(ばねＢ)のばね定数ＫBを直列に組み合わせたものとなり、次式で表される。
【０１８０】
【数５】
0005528520.tif 000007
【０１８１】
ここで、圧縮変形板は、表層パッドと比較して、ばね定数は非常に小さく、ＫA≫ＫBであることから、(5)式より、トータルの弾性定数Ｋは、次式となる。
【０１８２】
【数６】
0005528520.tif 000008
【０１８３】
これは、圧縮変形板の変形が支配的であることを示しており、凹みに対して、表層パッド表面は十分追従することを示している。
【０１８４】
狭い領域の凹凸、凹みの半径ａが4mm未満の場合、撓み変形シートはほとんど撓まないため、表層パッドの圧縮変形が支配的になり、弾性定数Ｋは、次式となる。
【０１８５】
【数７】
0005528520.tif 000009
【０１８６】
図７（ａ）は凹みの半径ａが4mm未満の場合を示し、狭い領域では、板ばねが変形しない。そのため、弾性率の大きいばねＡが表面に作用するようになる。表層パッドはウェーハ表面凹凸に追従せず、凸部のみを選択的に研磨し、平坦化が進行する。一方、図７（ｂ）は凹みの半径ａが4mm以上の場合を示し、広い領域では、板ばねが変形する。これによって、弾性率の小さいばねＣが動くことになる。表層パッドはウェーハ表面凹凸に追従して、凹凸部分をすべて均一に研磨する。
【０１８７】
このように、撓み変形シートの撓み特性を変えることで、圧縮変形板の圧縮弾性を作用させるか、それとも作用させずに表層パッドの圧縮弾性のみを作用させるかで、凹凸に追従させるか、それとも追従させずに凸部を研磨し平坦化するか、を分けることが可能となる。
【０１８８】
これは、局所的な平坦化研磨とグローバルな均一研磨を両立できることを表している。撓み変形シートのヤング率や厚みを調整し、パッドの撓み特性を変化させることで、平坦化研磨と均一研磨の臨界領域を調整することが可能になる。
【０１８９】
以上の原理に基づいて、撓み変形シートのたわみ特性が領域の大きさによって、急激に変化することを利用して、局所的な部分でのウェーハの凹凸を平坦化しつつ、ウェーハ表面のうねりについて、追従して研磨する。
【０１９０】
図８は、研磨パッド５０の構成の種々の例を示す説明図である。撓み特性を一様かつ連続にするため、撓み変形シート５２は一枚のシートで構成される。それに対して、表層パッド５１はスラリを保持して、研磨する機能のみを有する。そのため、図８（ａ）のように、一枚の連続したシートでも良いが、図８（ｂ）のように、ウェーハに対向する研磨部だけに撓み変形シート５２を貼り付けても良い。さらに、図８（Ｃ）のように、表層パッド５１にスラリを均一に行き渡らせるため、表層パッド５１を区分化しておき、その位置間一枚を撓み変形シート５２を一枚ずつ貼り付けてもよい。また、図８（ｄ）のように、表層パッド５１を区分化するのであれば、あらかじめ表層パッド５１に溝５３をつけておき、溝５３を設けた一枚の表層パッド５１を撓み変形シート５２に貼り付けても良い。
【０１９１】
こうした機構・構成を用いて、例えば以下のような研磨条件にて研磨を行うことが可能となる。
【０１９２】
【表２】
0005528520.tif 000010
【０１９３】
このような実験条件により、研磨を行った。100μm程度の幅で、0.5μmの段差を有する凸部は、0.5μm程度研磨した後には、0.1μm以下の段差になるまで平坦化された。さらに、ウェーハ研磨レートの面内均一性は、3.2%(1σ)と良好な均一性を得た。
【０１９４】
一方、前記プラテン３０は円盤状に形成され、その下面中央部に回転軸３１が連結されており、モータ３２の駆動によって矢印Ｂ方向へ回転する。前記プラテン２０上の研磨パッド５０に研磨剤を含んだスラリを供給しながら、ウェーハ保持台２０面に保持されたウェーハを回転するプラテン３０上の研磨パッド４０に押圧することにより、ウェーハ面が研磨される。
【０１９５】
図９は前記プラテン３０の説明図である。前述したように、プラテン３０の上には圧縮変形板４０を介して研磨パッド５０が装着されているが、なお詳述すれば、同図に示すように、弾性体４１の裏面に硬質板４２を一体に貼り付けてプラテン３０の上に装着し、さらに、表層パッド５１の裏面に撓み変形シート５２を一体に貼り付けて弾性体４１の上に装着する。
【０１９６】
前記弾性体４１は比較的に圧縮変形の小さい材質にて形成され、撓み剛性が高く平坦化特性が良好である。弾性体４１の対向表面４１ｓは例えば溝（図示せず）などによって区分化されており、おのおのが独立して変形するように形成され、また、弾性体４１の対向表面４１ｓが予め圧力分布を考慮した凸面形状となっている。
【０１９７】
また、前記弾性体４１の裏面に貼り付けられた硬質板４２は、ステンレス製あるいはセラミックス製のプレートを使用し、焼付けなどの手段にて弾性体４１の裏面に貼り付ける。そして、一体に貼り付けられた弾性体４１および硬質板４２は、プラテン３０の上に載置されて、物理的固定手段にて固定される。
【０１９８】
ここで、前記表層パッド５１の裏面に貼り付けられた撓み変形シート５２は、狭い領域では撓まず広い領域で撓むような材質、例えばＰＥＴ（Polyethylene Terephthalate）フィルムを使用する。そして、一体に貼り付けられた表層パッド５１および撓み変形シート５２の外周縁部を挟持する止めリング６０と、プラテン３０の側面に設けられて止めリング６０をプラテン３０の側面下方に引き下ろした状態で位置決め固定するブラケット５１とで構成される張上機構により、研磨パッド５０を圧縮変形板４０上に張り上げて固定する。すなわち、表層パッド５１および撓み変形シート５２の外周縁部がプラテン３０の側面下方へ引き下ろした状態にて固定する。これにより、研磨パッド４０に及ぼされる研磨によるせん断応力は、止めリング６０で支えられることになり、圧縮変形板５０に対して横方向の応力を作用させることはない。
【０１９９】
このように、表層パッド５１を撓み変形シート５２に貼り付けて一体構成にし、それらの外周縁部を引き下ろした状態にて固定するので、表層パッド５１の貼り付けに伴う圧力変化がなく、表層パッド５１が膨潤しても伸びることなく弾性体４１に装着される。また、一体に貼り付けられた表層パッド５１および撓み変形シート５２と、弾性体４１との間に両面テープを介在させないので、安定した圧力分布を確保できる。
【０２００】
以上のように構成したことにより、発明が解決しようとする課題のすべてを解決することができた。すなわち、課題１：弾性体４１によってプラテン３０の熱変形を吸収し、プラテン３０の表面と裏面との温度差を大きくしないようにしたので、ウェーハ面内の研磨均一性が大きく悪化するのを防止できる。
【０２０１】
課題２：表層パッド５１が展延性の小さい撓み変形シート５２上に貼り付けられているので、両面テープが必要でなくなり、ウェーハ面内に与える圧力分布へ悪影響を及ぼすことを防止できる。
【０２０２】
課題３：一体に貼り付けられた表層パッド５１および撓み変形シート５２の下に、硬質板４１を一体に貼り付けた弾性体４１を配置したので、ウェーハ表面のなだらかなうねりに対して、ウェーハ表面に表層パッド５１を倣わせつつも、ウェーハの裏面から一様な圧力で押圧する際、ウェーハが表層パッド５１上で撓むことなく、安定して一様な圧力分布をウェーハ上に形成することができる。
【０２０３】
課題４：弾性体４１の裏面に硬質板４１を一体に貼り付けてプラテン３０の上に装着したので、プラテンシートが弾性体である場合でも、プラテンシートの取付誤差による圧力分布の変化がなくなり、プラテンシートをプラテン３０に取り付ける際に安定した圧力分布を形成できる。
【０２０４】
課題５：弾性体４１の表面が予め圧力分布を考慮した凸面形状に形成されているので、表層パッド５１が完全にフラットであり、かつウェーハも完全にフラットである場合であっても、ウェーハ面内にかかる圧力分布を均一にすることができる。
【０２０５】
課題６：弾性体４１の表面は区分化されて、おのおのが独立して変形するので、密度の高い弾性体であったとしても、押し付ける圧力によってその跳ね返りが生じないで、ウェーハ全面に均一な圧力分布を与えることができる。
【０２０６】
課題７：表層パッド５１の表層の撓み剛性が弱い場合であっても、２層目を弾性体４１および硬質板４１が一体で形成したので、撓み変形を抑制することができ、表層パッド５１のドレッシングにより、表層の厚みが変化しても、安定して一様な圧力分布をウェーハ上に形成できる。
【０２０７】
なお、本発明は、本発明の精神を逸脱しない限り種々の改変を為すことができ、そして、本発明が該改変されたものに及ぶことは当然である。
【符号の説明】
【０２０８】
１０  研磨装置
２０  ウェーハ保持台
２２  ウェーハの凹み
３０  プラテン
４０  圧縮変形板
４１  弾性体
４２  硬質板
５０  研磨パッド
５１  表層パッド
５２  撓み変形シート
６０  止めリング
６１  ブラケット
【図１】
0005528520.tif 000011
【図２】
0005528520.tif 000012
【図３】
0005528520.tif 000013
【図４】
0005528520.tif 000014
【図５】
0005528520.tif 000015
【図６】
0005528520.tif 000016
【図７】
0005528520.tif 000017
【図８】
0005528520.tif 000018
【図９】
0005528520.tif 000019